(57)【要約】【課題】別個の縒り戻しを必要としないように縒り戻し機能を備えさせ、シール材の交換が容易で、安価なものにする。【解決手段】開口３２を有する一端面側を雄ねじ継手との接続に用い、開口３３を有する他端面側を加圧液導管との接続に用いるナット２９と、そのナット２９の管接続側開口３３を差し通して、一端側をナット２９の穴３４の内部に収容し、他端側を管接続部３７として外部に突出する筒状中芯３０と、そのナット２９の穴内に嵌まる筒状パッキン具３１との組立体にする。そして、そのパッキン具３１の中芯挿入受部４３の穴内周面に中芯挿入部３９とのシール材としてＯリング４７を備え、更にパッキン具３１の雄ねじ継手接続側部４４の端面にナット２９の穴内周面とのシール材としてパッキン４８を備える。【選択図】　　　　図１
2004138155.tif 000002
【特許請求の範囲】
【請求項１】
開口を有する一端面側を雄ねじ継手との接続に用い、開口を有する他端面側を加圧液導管との接続に用いるナットと、そのナットの管接続側開口を差し通して、一端側をナットの穴内に収容し、他端側を管接続部として外部に突出する筒状中芯と、そのナットの穴内に嵌まり、中芯の一端部付近を覆う筒状パッキン具との組立体からなる雌ねじ継手であって、上記ナットの穴の中央部をパッキン具収容箇所にし、その穴の雄ねじ継手接続側内周面に雌ねじを設け、更にその穴の管接続側内周面に中芯に向って突出するリング状の抜け止め用内向き突部を設け、その中芯の抜け止め用内向き突部直近の内側位置に、その内向き突部と噛み合うリング状の抜け止め用外向き突部を設け、更に中芯の抜け止め用外向き突部より雄ねじ継手接続側部をパッキン具の管接続側開口から入って穴内の一部に嵌まる挿入部にし、そのナットの穴内に設けたパッキン具収容箇所の穴径を抜け止め用外向き突部収容箇所の穴径より大きくして、ナットの穴内周面に段差を設け、しかもその抜け止め用外向き突部収容箇所内に抜け止め用外向き突部の移動域を中芯の軸に沿う方向に若干設け、そのパッキン具の中芯挿入部が嵌まる受部の穴径をその中芯挿入受部と一体の雄ねじ継手接続側部の穴径より大きくして、パッキン具の穴内周面に段差を設け、しかもその中芯挿入受部の穴内に中芯挿入部の移動域を中芯の軸に沿う方向に若干設け、その中芯挿入受部の穴内周面に中芯挿入部とのシール材としてＯリングを備え、更にそのパッキン具の雄ねじ継手接続側部の端面にナットの穴内周面とのシール材としてリング状パッキンを備えることを特徴とする縒り戻し機能付き雌ねじ継手。
【発明の詳細な説明】
【０００１】
【発明の属する技術分野】
本発明は、薬液散布装置、灌水装置等のような各種の加圧液導管の接続箇所に用いる組継手の雌ねじ継手に関する。
【０００２】
【従来の技術】
従来、薬液散布装置では薬液圧送用ポンプからホース等のフレキシブル導管を経て、加圧薬液を噴霧竿に送る際、その加圧薬液を送る導管の接続箇所に雄ねじ継手と雌ねじ継手とを組み合せた、例えば図４に示すような組継手１を用いている。この雄ねじ継手２は外周面に雄ねじ３を設けたねじ部４を有する筒状体であり、締め付け用鍔部５を有する。なお、鍔部５にはそのねじ部４に向く面にリング状のパッキン４９を備えている。
【０００３】
一方、雌ねじ継手６は開口７を有する一端面側を雄ねじ継手２との接続に用い、開口８を有する他端面側を加圧薬液導管として使用するホース９との接続に用いて、穴内面に雌ねじ１０を設けたナット（図では蝶ナットを示している）１１と、そのナット１１の管接続側開口８を差し通して、一端側をパッキン部１２として穴内に収容し、他端側を管接続部１３として外部に突出する筒状中芯１４との組立体である。そして、中芯１４にはそのパッキン部１２の雄ねじ継手接続側端面付近に、ナット１１の穴内周面とのシール材としてリング状パッキン１５を備えている。なお、１６は中芯１４の管接続部１３を覆ったホース９の端部を外側から更に覆ってかしめる筒状のかしめ具である。
【０００４】
この組継手１を接続する際には、雌ねじ継手６のナット１１を回転させながら、雄ねじ継手２のねじ部４とねじ３、１０同士を噛み合せる。すると、雄ねじ継手２のねじ部４の端面を雌ねじ継手６の内部に収容した中芯パッキン部１２の端面付近に設けたリング状パッキン１５に当接して締め付け、組継手１を強く結合することにより、液漏れを防止できる。なお、組継手１を強く結合すると、その結合後には雌ねじ継手６の中芯１４がナット１１と強く結合して回転できなくなる。
【０００５】
それ故、組継手１を用いたホース９の先端に噴霧竿を備え付けて噴霧作業を続けていると、ホース９が次第にねじれて作業性が悪くなる。そして、無理にホース９をねじったりすると、組継手１の結合が緩んで水漏れしたりする。そこで、組継手の間に縒り戻しを取り付け、ホースのねじれを解消していた。図５はそのような縒り戻しの一例であり、本出願人の代表者が先に「加圧液導管用自在管継手」として出願し、公開、公告され、実用新案登録権を取得したものである。
【実用新案文献１】
実用新案登録弟２１３１５７３号（実公平７−４６８６２号公報）
【０００６】
この縒り戻し１７は４個の筒体１８、１９、２０、２１を連結した筒体であり、その一端部の内周面に雌ねじ２２を設けた雌ねじ部２３を備え、他端部の外周面に雄ねじ２４を設けた雄ねじ部２５を備え、その一端部を構成する筒体２１が一方の中央筒体１９と一体に結合しており、他端部を構成する筒体１８が他方の中央筒体２０と一体に結合している。そして、両中央筒体１９、２０の間に多数の転動球体２６が介在している。又、中央筒体１９の外周面にＯリング２７を２個並べて備え、雄ねじ部２５を有する筒体１８の内周面とのシール材として用いている。
【０００７】
それ故、縒り戻し１７を構成する雌ねじ部２３を有する筒体１９、２１と雄ねじ部２５を有する筒体１８、２０とは互いに回転自在でしかも強固に結合しており、水漏れすることもない。そして、使用時には縒り戻し１７の雄ねじ部２５と雌ねじ継手６のナット１１とをそのねじ１０、２４同士を噛み合せることによって結合し、更に縒り戻し１７の雌ねじ部２３と雄ねじ継手２の雄ねじ部４とをそのねじ３、２２同士を噛み合せることによって結合する。
【０００８】
【発明が解決しようとする課題】
しかしながら、このような縒り戻し１７は組継手１とは別個の独立体であり、その雄ねじ部２５を有する筒体１８と中央筒体２０とが接着や増し締め等により組み付けられ、強固に結合しているため問題がある。何故なら、縒り戻し１７に備えたＯリング２７は中央筒体１９の外周面に備え付け、雄ねじ部２５を有する筒体１８の内周面とのシール材として用いられて内蔵されている。それ故、Ｏリング２７が使用時の摺動により摩耗し劣化等しても、その交換が筒体１８から筒体２０を外し難いため困難であり、交換した後も筒体１８に筒体２０を接着や増し締め等によりしっかりと組み付けなければならないからである。
【０００９】
本発明はこのような従来の問題点に着目してなされたものであり、別個の縒り戻しを必要とせず、シール材の交換が容易で安価な縒り戻し機能付き雌ねじ継手を提供することを目的とする。
【００１０】
【課題を解決するための手段】
上記目的を達成するために、本発明による縒り戻し機能付き雌ねじ継手は開口を有する一端面側を雄ねじ継手との接続に用い、開口を有する他端面側を加圧液導管との接続に用いるナットと、そのナットの管接続側開口を差し通して、一端側をナットの穴内に収容し、他端側を管接続部として外部に突出する筒状中芯と、そのナットの穴内に嵌まり、中芯の一端部付近を覆う筒状パッキン具との組立体から構成する。
【００１１】
そして、上記ナットの穴の中央部をパッキン具収容箇所にし、その穴の雄ねじ継手接続側内周面に雌ねじを設け、更にその穴の管接続側内周面に中芯に向って突出するリング状の抜け止め用内向き突部を設け、その中芯の抜け止め用内向き突部直近の内側位置に、その内向き突部と噛み合うリング状の抜け止め用外向き突部を設け、更に中芯の抜け止め用外向き突部より雄ねじ継手接続側部をパッキン具の管接続側開口から入って穴内の一部に嵌まる挿入部にする。
【００１２】
又、そのナットの穴内に設けたパッキン具収容箇所の穴径を抜け止め用外向き突部収容箇所の穴径より大きくして、ナットの穴内周面に段差を設け、しかもその抜け止め用外向き突部収容箇所内に抜け止め用外向き突部の移動域を中芯の軸に沿う方向に若干設け、そのパッキン具の中芯挿入部が嵌まる受部の穴径をその中芯挿入受部と一体の雄ねじ継手接続側部の穴径より大きくして、パッキン具の穴内周面に段差を設け、しかもその中芯挿入受部の穴内に中芯挿入部の移動域を中芯の軸に沿う方向に若干設ける。
【００１３】
そして、その中芯挿入受部の穴内周面に中芯挿入部とのシール材としてＯリングを備え、更にそのパッキン具の雄ねじ継手接続側部の端面にナットの穴内周面とのシール材としてリング状パッキンを備える。
【００１４】
【発明の実施の形態】
以下、添付の図１〜３を参照して、本発明の実施の形態を説明する。
図１は本発明を適用した縒り戻し機能付き雌ねじ継手の上半分を断面で示す正面図である。この雌ねじ継手２８は蝶ナット２９と筒状中芯３０とパッキン具３１との組立体にし、上下左右対称構造にする。又、その強度を大きくするため、各部品の主要部をステンレス、真鍮等の金属製にする。そこで、組立に際し、ナット２９を雌ねじ継手２８のボディにし、その開口３２を有する一端面側を雄ねじ継手との接続に用い、開口３３を有する他端面側を加圧液導管との接続に用いる。なお、ナットとして蝶ナットを用いず、六角ナット等を用いることができる。
【００１５】
このナット２９はその穴３４の中央部をパッキン具３１の収容箇所にし、そのナット穴３４には雄ねじ継手接続側内周面に雌ねじ３５を設け、更に管接続側内周面の開口側部分に中芯３０に向って突出するリング状の抜け止め用内向き突部３６を設ける。しかも、雌ねじ３５をパッキン具収容箇所の一部内面まで延設しておく。
【００１６】
このようなナット２９に対し、中芯３０をナット２９の管接続側開口３３を差し通して組み付け、その中芯３０の一端側の部分をナット２９の穴３４の内部に収容し、他端側の部分を管接続部３７として外部に突出する。そして、中芯３０のナット穴内収容部につき、管接続部３７との隣接部分を抜け止め部３８、それより雄ねじ継手接続側部をパッキン具３１への挿入部３９にする。しかも、管接続部３７にはその外周面の先端部と中央部にホース端部抜け止め用のリング状突部４０（４０ａ、４０ｂ）を夫々設けておく。又、抜け止め部３８を外方向に拡張して突部にする。
【００１７】
そして、抜け止め部３８ではナット２９の抜け止め用内向き突部３６に嵌まる部分はその外径を内向き突部３６の内径より若干小さく設定し、それより内側部分を大きく設定する。なお、管接続側開口３３は抜け止め用内向き突部３６により形成される。すると、中芯３０の抜け止め用内向き突部３６の直近内側の位置に、その内向き突部３６と噛み合うリング状の抜け止め用外向き突部４１を設けることができる。そこで、ナット３１の穴内に設けたパッキン具収容箇所の穴径を抜け止め用外向き突部収容箇所の穴径より大きくして、ナット２９の穴内周面に段差４２を設ける。しかも、その抜け止め用外向き突部収容箇所内に抜け止め用外向き突部の移動域を中芯３０の軸に沿う方向に若干設ける。
【００１８】
このような中芯３０を組み付けたナット２９に対し、パッキン具３１をナット２９の開口３２から穴３４に挿入し、中芯挿入部３９を覆うように組み付けて所定位置に収容する。そこで、このパッキン具３１には中芯挿入部３９が嵌まる受部４３の穴径をその受部４３と一体の雄ねじ継手接続側部４４の穴径より大きくして、パッキン具３１の穴４５の内周面に段差４６を設ける。しかも、その中芯挿入受部４３の穴内に中芯挿入部３９の移動域を中芯３０の軸に沿う方向に若干設ける。
【００１９】
そして、パッキン具３１の中芯挿入受部４３の穴内周面に中芯挿入部３９とのシール材としてＯリング４７を備え、更に雄ねじ継手接続側部４４の端面にナット２９の穴内周面とのシール材としてリング状パッキン４８を備える。その際、Ｏリング４７は中芯挿入受部４３の穴内周面中央に設けたリング状凹所内に設置し、リング状パッキン４８は雄ねじ継手接続側部４４の端面にその外縁部を取り除いて設けたリング状凹所内に設置する。
【００２０】
このようにして組み立てた雌ねじ継手２８と組む雄ねじ継手には例えば従来使用の雄ねじ継手２を用いる。そして、この組継手２、２８の雌ねじ継手２８に加圧液導管たるホース９を接続する場合、その雌ねじ継手２８の管接続部３７をやはりホース９のかしめ具１６を外装した端部内に差し込んだ後、図２に示すようにかしめて結合する。又、雄ねじ継手２についても同様にしてホース等の加圧液導管をつなぐことができる。
【００２１】
そこで、この組継手２、２８を噴霧器に使用する場合、雄ねじ継手２を噴霧器の本体に備えられているポンプと接続し、雌ねじ継手２８を噴霧竿と接続しているホース９の端部に取り付け、その雄ねじ継手２と雌ねじ継手２８とを接続する。その際、雌ねじ継手２８のナット穴３４の内部に雄ねじ継手２のねじ部４を嵌め、ねじ３、３５同士を噛み合せながら、そのナット穴３４の奥深くまでねじ部４が達するようにして、両継手２、２８を強く結合する。
【００２２】
すると、雄ねじ継手２のねじ部４の先端面をパッキン具３１の相対する端面に設置したリング状パッキン４８に強く当接でき、同時にナット２９の雄ねじ継手側端面を雄ねじ継手２の締め付け用鍔部５の相対する端面に設けたリング状パッキン４９に強く当接できる。しかも、雄ねじ継手２のねじ部４でパッキン具３１を押すと、そのパッキン具３１の他端面の外周側縁部がナット穴３４の内周面に設けたリング状段差面４２に強く当接する。それ故、ナット２９の穴内部に収容したパッキン具３１は雄ねじ継手２のねじ部４とナット穴３４の内周面に設けた段差面４２に挟持され、強く固定された状態で収容される。
【００２３】
しかし、抜け止め用外向き突部収容箇所内に抜け止め用外向き突部４の移動域を中芯２０の軸に沿う方向に若干設け、更に中芯挿入受部４３の穴内に中芯挿入部３９の移動域を中芯３０の軸に沿う方向に若干設けている。このため、ナット３４の穴内部でパッキン具３１が所定位置を占めた後、雄ねじ継手２のねじ部４からパッキン具３１に働く押圧力は中芯３０に作用しない。しかも、そのパッキン具３１と中芯３０との間には単にＯリング４７が介在しているだけであり、中芯３０は自在に回転できる。
【００２４】
このような噴霧器を用いて、農作物に薬液を散布する場合、ポンプにより圧送されてきた加圧薬液が雄ねじ継手２を経て、雌ねじ継手２８に入る。すると、加圧薬液はナット２９の穴内周面に漏れ出ようとする。しかし、雄ねじ継手２の先端面はパッキン具３１に設置したパッキン４８と強く当接し、そのパッキン４８がナット２９の穴内周面とのシール材として働いている。又、パッキン具３１の中芯挿入受部４３と中芯３０の挿入部３９との間にはＯリング４７が介在し、そのＯリング４７がシール材として働くため、その間を通ってナット２９の穴内周面に漏れ出ない。それ故、組継手２、２８から液漏れが発生しない。
【００２５】
そして、噴霧竿による薬液散布の作業中にホース９がねじれようとした時、雄ねじ継手２と強く結合している雌ねじ継手２８のナット２９が固定状態であっても、中芯３０は回転自在となっているため、ホース９は中芯３０と一緒に自在に回転する。それ故、このような雌ねじ継手２８と雄ねじ継手２を組み合せて用いると、雌ねじ継手２８は縒り戻し機能を備えているので、ホース９のねじれを気にすることなく、散布作業を適切に行うことができる。当然、別個の縒り戻しを必要としないため、安価になる。
【００２６】
その後、パッキン具３１に設置したＯリング、パッキン４８等は使用による摩耗や劣化等により交換が必要となる。その場合には、図３に示すようにナット２９の穴内部からパッキン具３１を引き抜く。その際、中芯３０の挿入部３９とパッキン具３１の中芯挿入受部４３との間には単にＯリング４７が介在しているだけであり、パッキン具３１にＯリング４７と中芯挿入部３９との間に働く抵抗力以上の引き抜き力を与えればよい。すると、パッキン具３１を簡単に引き抜くことができ、Ｏリング４７は中芯挿入受部４３の穴内周面から露出し、又パッキン４８は雄ねじ継手接続側部４４の先端面から露出しているので、それ等を簡単に交換できる。そして、交換後にパッキン具３１を再度雌ねじ継手２８のナット穴内に押し込んで戻して組み付ける。その際、挿入や所定位置への設置等も当然簡単に行える。
【００２７】
【発明の効果】
以上説明した本発明によれば、請求項１記載の発明では雌ねじ継手のナット穴の内部に対となる雄ねじ継手のねじ部を嵌め、そのねじ部の先端面をパッキン具の相対する端面に設けたパッキンに当接して両継手を強く結合すると、ナットの穴内部に収容したパッキン具を雄ねじ継手のねじ部とナットの穴内周面に設けた段差面で挟持して、強く固定した状態で収容できる。そして、ナットの抜け止め用外向き突部収容箇所内にその外向き突部の移動域を中芯の軸に沿う方向に若干設け、更にパッキン具の中芯挿入受部の穴内に中芯挿入部の移動域を中芯の軸に沿う方向に若干設けることにより、雄ねじ継手のねじ部からパッキン具に働く押圧力は中芯に作用せず、パッキン具と中芯との間にＯリングが介在しているだけであり、ナットとパッキン具を固定しても中芯を自在に回転できる。
【００２８】
又、雄ねじ継手のねじ部の先端面をパッキン具の相対する端面に設けたパッキンに強く当接すると、そのパッキンがナットの穴内周面とのシール材として働き、更にパッキン具の中芯挿入受部の穴内周面に設けたＯリングがその中芯挿入受部と中芯挿入部とのシール材として働くため、加圧液がナットの穴内周面に漏れ出ることがない。
【００２９】
このため、雌ねじ継手を構成する中芯の管接続部に加圧液導管を接続して用いると、その加圧液導管がねじれようとした時、ナットとそこに組み付けたパッキン具が固定状態であっても、雌ねじ継手は縒り戻し機能を有し、中芯は回転自在となっているため、加圧液導管は中芯と一緒に自在に回転できてねじれない。それ故、このような縒り戻し機能付き雌ねじ継手を用いると、別個の縒り戻しを必要とせずに安価となり、加圧液導管のねじれと継手からの液漏れを気にすることなく、加圧薬液の散布作業等を適切に行うことができる。
【００３０】
又、パッキン具に設置したＯリング、パッキン等の使用による摩耗や劣化等により交換が必要になった時には、中芯の挿入部とパッキン具の中芯挿入受部との間に単にＯリングが介在しているだけであり、そのパッキン具にＯリングと中芯挿入部との間に働く抵抗力以上の引き抜き力を与えればよく、ナットからパッキン具を簡単に引き抜くことができる。すると、Ｏリングは中芯挿入受部の穴内周面から露出し、パッキンは雄ねじ継手接続側部の先端面から露出しているので、それ等のシール材を簡単に交換でき、交換後にパッキン具を再度雌ねじ継手のナット穴内に押し込んで戻し、簡単に組み付けることができる。
【図面の簡単な説明】
【図１】本発明を適用した縒り戻し機能付き雌ねじ継手の上半分を断面で示す正面図である。
【図２】同雌ねじ継手に加圧液導管を接続し、対となる雄ねじ継手の一部を対峙させた接続直前の状態を夫々下半分を断面で示す正面図である。
【図３】同雌ねじ継手からパッキン具を引き抜いた状態を夫々下半分を断面で示す正面図である。
【図４】従来の雌ねじ継手に加圧液導管を接続し、対となる雄ねじ継手の一部を対峙させた接続直前の状態を夫々下半分を断面で示す正面図である。
【図５】同雌ねじ継手と対となる雄ねじ継手の一部を対峙させ、その間に別個の縒り戻しを介在した接続直前の状態を夫々下半分を断面で示す正面図である。
【符号の説明】
２…雄ねじ継手　３…雄ねじ　４…ねじ部　５…締め付け用鍔部　９…加圧液導管（ホース）　１６…かしめ具　２８…縒り戻し機能付き雌ねじ継手　２９…ナット　３０…中芯　３１…パッキン具　３２、３３…開口　３４…ナットの穴３５…雌ねじ　３６…抜け止め用内向き突部　３７…管接続部　３８、４０…抜け止め部　３９…中芯挿入部　４１…抜け止め用外向き突部　４２、４６…段差面　４３…中芯挿入受部　４４…雄ねじ接続側部　４５…パッキン具の穴　４７…Ｏリング　４８、４９…パッキン
【図１】
2004138155.tif 000003
【図２】
2004138155.tif 000004
【図３】
2004138155.tif 000005
【図４】
2004138155.tif 000006
【図５】
2004138155.tif 000007